(57)【特許請求の範囲】
【請求項１】
光ファイバケーブルの端末に複数の光ファイバが露出し、露出した複数の光ファイバは、それぞれに光コネクタが取り付けられると共に牽引用の筒体内に収容される光ファイバケーブルの牽引端末であって、前記複数の光ファイバは前記光コネクタと共に袋体で覆われて前記筒体内に収容され、前記袋体と筒体との間には、前記袋体を牽引方向に緊張状態で支持する止め部材が配置されていることを特徴とする光ファイバケーブルの牽引端末。
【発明の詳細な説明】
【０００１】
【発明の属する技術分野】
本発明は、光ファイバケーブルの牽引端末に関する。
【０００２】
【従来の技術】
光ファイバケーブルの牽引端末は、例えば、図３に示すように、防水部１ａ，１ｂを有する筒体１内に光ファイバケーブル２の端末を収容し、光ファイバケーブル２のテンションメンバ２ａや端部に光コネクタを取り付けたテープファイバ等の複数の光ファイバ２ｂを保護している。筒体１は、端部にキャップ１ｃが設けられ、光ファイバケーブル２は、キャップ１ｃに取り付けたプリングアイ３にワイヤを連結して配管路内等を牽引される。
【０００３】
ここで、図３においては、図面を簡略化する光ファイバ２ｂは１本しか図示していないが、実際には複数ある。
このとき、筒体１は、牽引に伴って作用する側圧に対抗するため、図示のように、内部に複数の保護板４が板面を牽引方向と直交させて配置される。
【０００４】
【発明が解決しようとする課題】
ところで、従来の光ファイバケーブルの牽引端末は、上記のように端末を収容した内部に複数の保護板を配置し、防水部を設けることから、重量が増大して非常に重くなっていた。このため、光ファイバケーブルの敷設時に取り扱い難いうえ、構造が複雑で強固な構造であることから、敷設後、筒体を解体して内部から光ファイバを取り出すのに非常に手間が掛かる等の問題があった。
【０００５】
また、光ファイバケーブルの牽引端末は、局舎内等で使用する等、使用場所によっては必ずしも防水は必要でなかったり、簡易な防水で良い場合がある。
本発明は上記の点に鑑みてなされたもので、軽量で取り扱いが簡単なうえ、光ファイバの取り出しが容易で、簡易に使用することが可能な光ファイバケーブルの牽引端末を提供することを目的とする。
【０００６】
【課題を解決するための手段】
本発明においては上記目的を達成するため、光ファイバケーブルの端末に複数の光ファイバが露出し、露出した複数の光ファイバは、それぞれに光コネクタが取り付けられると共に牽引用の筒体内に収容される光ファイバケーブルの牽引端末であって、前記複数の光ファイバは前記光コネクタと共に袋体で覆われて前記筒体内に収容され、前記袋体と筒体との間には、前記袋体を牽引方向に緊張状態で支持する止め部材が配置されている構成としたのである。
【０００７】
【作用】
止め部材は、袋体を牽引方向に緊張状態で支持し、袋体はたるむことがない。
【０００８】
【発明の実施の形態】
以下、本発明の一実施形態を図１及び図２に基づいて詳細に説明する。
図１は、本発明の光ファイバケーブル１０の牽引端末ＥPの構造を示すもので、光ファイバケーブル１０は、端末１０ａに光ファイバテープ等の複数の光ファイバ１１が露出し、露出した複数の光ファイバ１１は、それぞれに光コネクタ１１ａが取り付けられると共に牽引用の筒体１２内に収容されている。
【０００９】
ここで、図１においては、図面の錯綜を避ける目的から光ファイバ１１は１本しか図示していないが、実際には複数あり、これは図２においても同様である。牽引端末ＥPは、複数の光ファイバ１１が光コネクタ１１ａと共に袋体１３で覆われて筒体１２内に収容され、袋体１３と筒体１２の後述するキャップ１２ａとの間には、袋体１３を牽引方向に緊張状態で支持する止め紐１４が配置されている。
【００１０】
筒体１２は、硬質プラスチック等の合成樹脂からなり、内部に収容する複数の光ファイバ１１を簡易に保護する。筒体１２は、一端にキャップ１２ａが設けられ、キャップ１２ａには、プリングアイ１５が取り付けられている。筒体１２は、図１に示すように、ボルトとナットからなる２組の締結具１６によって光ファイバケーブル１０の端末１０ａの直径方向両側を筒体１２に固定している。
【００１１】
袋体１３は、ポリエチレン（ＰＥ），ポリプロピレン（ＰＰ）等の透明あるいは半透明のプラスチックフィルムからなり、シーリングテープ等のテープ（図示せず）によって一端側が端末１０ａに固定される。袋体１３は、使用時に袋状になっていれば、例えば、筒状に成形されたものとし、使用に際して一端側を熱融着させて袋状にしてもよい。また、袋体１３は、前記テープの他、接着等、種々の手段によって光ファイバケーブル１０の端末１０ａに固定することができる。更に、袋体１３は、長手方向に沿ってミシン目（図示せず）を設けると、光ファイバ１１の取り出しが一層容易となる。
【００１２】
止め紐１４は、例えば、ポリエチレン（ＰＥ）等の合成樹脂或いは合成ゴムから成る紐で、図１に示したように、袋体１３とキャップ１２ａとの間に配置されている。止め紐１４は、袋体１３を牽引方向に緊張状態で支持することができれば、紐の他、金属性のワイヤであってもよく、筒体１２の内壁側面と袋体１３との間に配置してもよい。
【００１３】
以上のように構成される本発明の牽引端末ＥPにおいては、袋体１３、従って、光ファイバ１１が、止め紐１４によって常に牽引方向に緊張状態で支持されている。
このため、本発明の牽引端末ＥPは、軽量で取り扱いが簡単なうえ、簡易に使用することができる。
【００１４】
また、光ファイバケーブル１０は、プリングアイ１５にワイヤ（図示せず）を連結して配管路内等を牽引したとき、特に、光ファイバケーブル１０を鉛直方向に牽引したときであっても、袋体１３が弛んだりすることがない。
これに対して、同じ牽引端末ＥPの構造において、止め紐１４がないと、袋体１３、従って、光ファイバ１１を牽引方向に緊張状態で支持することができない。このため、図２に示すように、光ファイバケーブル１０を鉛直方向に牽引すると、袋体１３や光ファイバ１１がたわみ、光ファイバ１１に曲げ等の負荷が加わり、光の伝送損失が増加するという問題が生じるが、本発明の牽引端末ＥPの構造においてはこのような問題は生じない。
【００１５】
【発明の効果】
請求項１の発明によれば、軽量で取り扱いが簡単なうえ、光ファイバの取り出しが容易で、簡易に使用することが可能な光ファイバケーブルの牽引端末を提供することができる。しかも、本発明の牽引端末は、構造が簡単なことから安価に提供することができる。
【図面の簡単な説明】
【図１】本発明の光ファイバケーブルの牽引端末の構造を示す断面図である。
【図２】図１の牽引端末の構造において、止め部材を使用しない場合における袋体の変形を示す断面図である。
【図３】従来の光ファイバケーブルの牽引端末を示す断面図である。
【符号の説明】
１０          光ファイバケーブル
１０ａ        端末
１１          光ファイバ
１１ａ        光コネクタ
１２          筒体
１２ａ        キャップ
１３          袋体
１４          止め紐（止め部材）
１５          プリングアイ
１６          締結具
ＥP           牽引端末
【図１】
0003824800.tif 000002
【図２】
0003824800.tif 000003
【図３】
0003824800.tif 000004